(57)【要約】      （修正有）【課題】電子機器の内部配線に使用され、基板や電子部品間を接続するためのフレキシブルフラットケーブルを提供する。【解決手段】一端に連結段１２が設けられ、該連結段の前端の底面に複数の金属端子が設けられる薄型ケーブル１０と、該薄型ケーブルの連結段１２に環装され、上部プレート２１と、該上部プレートの底面の両側に設置される２枚の下部プレート２２と、該上部プレートと下部プレートとの間に形成される組立空間２００とを備える金属遮蔽ケース２０と、該金属遮蔽ケースに環装され、内部に薄型ケーブル１０及び金属遮蔽ケース２０を収容するための収容空間３００が形成され、前端に薄型ケーブル１０の連結段１２の前端が当接するフロントボードが形成される絶縁ヘッド３０と、を有し、また、該絶縁ヘッドの収容空間３００にさらにガイド溝部が形成され、該金属遮蔽ケースが収容空間３００に挿し込まれる。【選択図】図２
0003188997.tif 000002
【実用新案登録請求の範囲】
【請求項１】
一端に連結段が設けられ、該連結段の前端の底面に複数の金属端子が設けられる薄型ケーブルと、
前記薄型ケーブルの連結段に環装され、上部プレートと、該上部プレートの底面の両側に設置される２枚の下部プレートと、該上部プレートと下部プレートの間に形成される組立空間とを備える金属遮蔽ケースと、
前記金属遮蔽ケースに環装され、内部に薄型ケーブルの連結段及び金属遮蔽ケースを収容するための収容空間が形成され、前端に薄型ケーブルの連結段の前端が当接するフロントボードが形成される絶縁ヘッドと、を有し、
また、前記絶縁ヘッドの収容空間にさらにガイド溝部が形成され、前記金属遮蔽ケースが収容空間に挿し込まれると共に、該金属遮蔽ケースの上部プレートが該ガイド溝部に挿設されることを特徴とするフレキシブルフラットケーブル。
【請求項２】
前記薄型ケーブルの連結段の両側にそれぞれ複数の係合凹部が形成され、
前記金属遮蔽ケースの上部プレートの両側にそれぞれ複数の係合タブが金属遮蔽ケースの前側へ延出するように組立空間に向かって延設され、
前記薄型ケーブルの連結段が後側から前側の金属遮蔽ケースの組立空間に挿し込まれると共に、それらの係合タブが係合凹部に係合されると、薄型ケーブルを金属遮蔽ケースから脱落することはないことを特徴とする請求項１に記載のフレキシブルフラットケーブル。
【請求項３】
前記金属遮蔽ケースが後側から前側の絶縁ヘッドの収容空間に挿し込まれることを特徴とする請求項２に記載のフレキシブルフラットケーブル。
【請求項４】
前記絶縁ヘッドの両側にそれぞれ装着部が設けられ、該装着部に装着溝が形成され、該装着溝にフックが嵌合されることを特徴とする請求項３に記載のフレキシブルフラットケーブル。
【請求項５】
前記フックがＵ字形の金属ばねであることを特徴とする請求項４に記載のフレキシブルフラットケーブル。
【考案の詳細な説明】
【技術分野】
【０００１】
本考案は、特に電子機器の内部配線に使用され、基板や電子部品間を接続するための薄型ケーブルに関するものである。
【背景技術】
【０００２】
フレキシブルフラットケーブル(Flexible Flat Cable, FFC)は、可撓性を備え、ケースの内部空間及び電子部品の配置場所により適当に湾曲することができ、、電力または信号の伝送するために、電子部品間を接続し、ノートブックパソコンなどの携帯用電子機器によく使用されている変形可能な薄型ケーブルである。
【０００３】
従来のフレキシブルフラットケーブルは、軟性材質により金属ケーブルを被覆するように設けられ、連結端に金属ケーブルを露出するように複数の端子を構成し、また、該連結端にコネクターの絶縁部材及び金属ヘッドを組み立て、このコネクターにより複数の端子を電子機器の基板と接続することができる。
【考案の概要】
【考案が解決しようとする課題】
【０００４】
しかしながら、従来のフレキシブルフラットケーブルは、以下の欠点を有する。
１. ケーブルの連結部が壊れやすい：従来のフレキシブルフラットケーブルは、可撓性を備え、絶縁部材及び金属ヘッドより柔らかいことから、連結端のコネクターを電子機器のコネクターに組み合わせる時に、ケーブルの連結端が変形しやすくなり、もし、ケーブルの連結端を何度も電子機器のコネクターに組み合わせたり、取り外したりすると、ケーブルの連結端が絶縁部材から脱落して壊れてしまう虞があった。
２. 組み立てが複雑：従来のフレキシブルフラットケーブルは、連結端とコネクターとを組み立てる時に、連結端及び絶縁部材を金属ヘッドのベースとカバーとの間に挟持すると共に、両面テープにより連結端を絶縁部材に粘着することが必要であり、組み立てが複雑で時間や材料の無駄であった。
３. 接地の効果に劣り：従来のフレキシブルフラットケーブルは、コネクターの金属ヘッドにより接地を行うが、この金属ヘッドが底面または上面のみケーブルと接触するので、その接地の効果が悪かった。
【課題を解決するための手段】
【０００５】
本考案に係るフレキシブルフラットケーブルは、一端に連結段が設けられ、該連結段の前端の底面に複数の金属端子が設けられる薄型ケーブルと、
前記薄型ケーブルの連結段に環装され、上部プレートと、該上部プレートの底面の両側に設置される２枚の下部プレートと、該上部プレートと下部プレートの間に形成される組立空間とを備える金属遮蔽ケースと、
前記金属遮蔽ケースに環装され、内部に薄型ケーブルの連結段及び金属遮蔽ケースを収容するための収容空間が形成され、前端に薄型ケーブルの連結段の前端が当接するフロントボードが形成される絶縁ヘッドと、を有し、
また、前記絶縁ヘッドの収容空間にさらにガイド溝部が形成され、前記金属遮蔽ケースが収容空間に挿し込まれると共に、該金属遮蔽ケースの上部プレートが該ガイド溝部に挿設されるものである。
【０００６】
かかるフレキシブルフラットケーブルにおいて、前記薄型ケーブルの連結段の両側にそれぞれ複数の係合凹部が形成され、
前記金属遮蔽ケースの上部プレートの両側にそれぞれ複数の係合タブが金属遮蔽ケースの前側へ延出するように組立空間に向かって延設され、
前記薄型ケーブルの連結段が後側から前側の金属遮蔽ケースの組立空間に挿し込まれると共に、それらの係合タブが係合凹部に係合されると、薄型ケーブルを金属遮蔽ケースから脱落することはない。
【０００７】
かかるフレキシブルフラットケーブルにおいて、前記金属遮蔽ケースが後側から前側の絶縁ヘッドの収容空間に挿し込まれることが好ましい。
【０００８】
かかるフレキシブルフラットケーブルにおいて、前記絶縁ヘッドの両側にそれぞれ装着部が設けられ、該装着部に装着溝が形成され、該装着溝にフックが嵌合されることが好ましい。
【０００９】
かかるフレキシブルフラットケーブルにおいて、前記フックがＵ字形の金属ばねであることがこのましい。
【考案の効果】
【００１０】
本考案は上記の構成を有すれば、薄型ケーブルの連結段の前端が絶縁ヘッドのフロントボードに当接することから、薄型ケーブルの連結段が絶縁ヘッドのフロントボードの反対する側に傾くことはなく、他のコネクターと何度も組み立てたり、取り外したりしても変形することはならなく、薄型ケーブルの使用寿命を延ばすことができる。
【００１１】
また、薄型ケーブルと金属遮蔽ケースと絶縁ヘッドとの組み立てが簡単であり、組み立ての時間や手間などを節約することができる。さらに、金属遮蔽ケースが薄型ケーブルと接触するように組み立てることから、金属遮蔽ケースを介して接地して静電気を除去することができる。
【図面の簡単な説明】
【００１２】
【図１】本考案に係るフレキシブルフラットケーブルの斜視図である。
【図２】本考案に係るフレキシブルフラットケーブルの分解図である。
【図３】本考案に係るフレキシブルフラットケーブルの他の分解図である。
【図４】本考案に係るフレキシブルフラットケーブルにおいて、薄型ケーブル及び金属遮蔽ケースを組み立てた状態を示す正面図である。
【図５】本考案に係るフレキシブルフラットケーブルにおいて、薄型ケーブル及び金属遮蔽ケースを組み立てた状態を示す底面図である。
【図６】本考案に係るフレキシブルフラットケーブルにおいて、薄型ケーブル及び金属遮蔽ケースを組み立てた状態を示す断面図である。
【図７】本考案に係るフレキシブルフラットケーブルにおいて、薄型ケーブルと金属遮蔽ケースと絶縁ヘッドとを組み立てた状態を示す断面図である。
【図８】本考案に係るフレキシブルフラットケーブルにおいて、薄型ケーブルと金属遮蔽ケースと絶縁ヘッドとを組み立てた状態を示す底面視断面図である。
【図９】本考案に係るフレキシブルフラットケーブルの金属遮蔽ケース及び絶縁ヘッドの分解斜視図である。
【図１０】本考案に係るフレキシブルフラットケーブルの絶縁ヘッドの後方視平面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１乃至図３に示すように、本考案に係るフレキシブルフラットケーブルは、薄型ケーブル１０と、金属遮蔽ケース２０と、絶縁ヘッド３０とを有する。
【００１５】
図２及び図３に示すように、前記薄型ケーブル１０は、ケーブル本体１１を備え、該ケーブル本体１１の一端に連結段１２が設けられ、該連結段１２の両側にそれぞれ複数の係合凹部１２１が形成され、該連結段１２の前端の底面には複数の金属端子１３が設けられる。且つ、該連結段１２は、所定の硬度を備えるために、より硬い材質からなる補強プレートであることが好ましい。さらに、該薄型ケーブル１０の上面に保護層１７が設置されることが好ましい。
【００１６】
図２、図３及び図６に示すように、前記金属遮蔽ケース２０は、薄型ケーブル１０の連結段１２に環装され、上部プレート２１と、２枚の下部プレート２２と、組立空間２００と、複数の上部押圧タブ２１１と、複数の下部押圧タブ２２１とを備える。この２枚の下部プレート２２はそれぞれ、上部プレート２１の底面の両側に設置され（図３の如く）、該組立空間２００は、上部プレート２１と下部プレート２２との間に形成され、該複数の上部押圧タブ２１１は、上部プレート２１から組立空間２００に向かって延設され、薄型ケーブル１０に当接し、該複数の下部押圧タブ２２１は、下部プレート２２から組立空間２００に向かって延設され、薄型ケーブル１０に当接する（図６の如く）。
【００１７】
また、図２、図３及び図７に示すように、前記金属遮蔽ケース２０の上部プレート２１は、両側にそれぞれ複数の係合タブ２１５が設けられ、それらの係合タブ２１５は、上部プレート２１から組立空間２００に向かって延設され、薄型ケーブル１０の連結段１２の係合凹部１２１に係合される。なお、それらの係合タブ２１５は、薄型ケーブル１０と反対する側（即ち、前側）へ延出することから、連結段１２の係合凹部１２１に係合されると、連結段１２が後側に移動することができず、薄型ケーブル１０を金属遮蔽ケース２０から脱落することが防止できる（図７の如く）。
【００１８】
前記絶縁ヘッド３０は、金属遮蔽ケース２０に環装され、内部に薄型ケーブル１０及び金属遮蔽ケース２０を収容するための収容空間３００が形成され、前端にフロントボードが形成される。
図４、図５及び図８に示すように、前記金属遮蔽ケース２０及び絶縁ヘッド３０を組み立てる時に、薄型ケーブル１０の連結段１２の前端が絶縁ヘッド３０のフロントボードに当接するように、金属遮蔽ケース２０を後側から前側の絶縁ヘッド３０の収容空間３００に挿し込む。さらに、該絶縁ヘッド３０は、両側にそれぞれ装着部３１が設けられ、該装着部３１に装着溝３１０が形成され、該装着溝３１０にフック３５が嵌合される。絶縁ヘッド３０を他のコネクターと組み合わせる時に、このフック３５を介して他のコネクターに係合することができる。該フック３５は、Ｕ字形の金属ばねであることが好ましい。
【００１９】
図６に示すように、前記金属遮蔽ケース２０の上部押圧タブ２１１及び下部押圧タブ２２１が薄型ケーブル１０の連結段１２を挟持することから、薄型ケーブル１０に下方への力Ｆを与え、そうすると、連結段１２の前端に上方への力Ｆ１を発生し、連結段１２の前端が絶縁ヘッド３０のフロントボードに当接する。
【００２０】
図９及び図１０に示すように、本実施例において、絶縁ヘッド３０の収容空間３００にさらにガイド溝部３０１が形成され、金属遮蔽ケース２０が絶縁ヘッド３０の収容空間３００に挿し込まれる時に、金属遮蔽ケース２０の上部プレート２１が該ガイド溝部３０１に挿設される。
【００２１】
上述したように、本考案は以下のメリットを有する。
１.金属遮蔽ケース２０の上部押圧タブ２１１及び下部押圧タブ２２１により薄型ケーブル１０に下方への力Ｆを与えることから、薄型ケーブル１０の連結段１２の前端が金属遮蔽ケース２０の上部プレート２１に接近して絶縁ヘッド３０のフロントボードに当接する。これによれば、薄型ケーブル１０の連結段１２が絶縁ヘッド３０のフロントボードの反対する側に傾くことはなく、他のコネクターと何度も組み立てたり、取り外したりしても変形することはならなく、薄型ケーブル１０の使用寿命を延ばすことができる。
【００２２】
２.また、金属遮蔽ケース２０が後側から前側の絶縁ヘッド３０の収容空間３００に挿し込むと共に、上部プレート２１がガイド溝部３０１に挿設することから、両面テープなどの粘着手段が不要で金属遮蔽ケース２０及び絶縁ヘッド３０を簡単に組み立てられ、組み立ての時間や手間などを節約することができる。
【００２３】
３.さらに、金属遮蔽ケース２０の係合タブ２１５が薄型ケーブル１０の連結段１２の係合凹部１２１に係合するこによって、薄型ケーブル１０と金属遮蔽ケース２０とをしっかりと組み立てることができる。また、金属遮蔽ケース２０の係合タブ２１５は、上部プレート２１から前側へ延出することから、薄型ケーブル１０の連結段１２がスムーズに金属遮蔽ケース２０の組立空間２００に挿し込むことができるが、一旦、係合タブ２１５が連結段１２の係合凹部１２１に係合すると、連結段１２を後側へ移動させることができなくなり、薄型ケーブル１０を金属遮蔽ケース２０から脱落することはない。
【００２４】
４.一方、金属遮蔽ケース２０の複数の上部押圧タブ２１１及び複数の下部押圧タブ２２１がそれぞれ薄型ケーブル１０と接触することから、金属遮蔽ケース２０の上部プレート２１及び下部プレート２２を接地するための金属端子１３として静電気を除去することができる。
【符号の説明】
【００２５】
１０    薄型ケーブル
１１    ケーブル本体
１２    連結段
１２１  係合凹部
１３    金属端子
１７    保護層
２０    金属遮蔽ケース
２００  組立空間
２１    上部プレート
２１１  上部押圧タブ
２１５  係合タブ
２２    下部プレート
２２１  下部押圧タブ
３０    絶縁ヘッド
３００  収容空間
３０１  ガイド溝部
３１    装着部
３１０  装着溝
３５    フック
【図１】
0003188997.tif 000003
【図２】
0003188997.tif 000004
【図３】
0003188997.tif 000005
【図４】
0003188997.tif 000006
【図５】
0003188997.tif 000007
【図６】
0003188997.tif 000008
【図７】
0003188997.tif 000009
【図８】
0003188997.tif 000010
【図９】
0003188997.tif 000011
【図１０】
0003188997.tif 000012